(57)【要約】【課題】排ガス式吸収冷温機の起動時に発生し易い排ガス凝縮ドレンの発生を防止する。【解決手段】蒸発器と、吸収器と、排ガス投入による加熱が可能な排ガス再生器と、前記吸収器から出た吸収液が前記排ガス再生器に流入した後に流入するバーナ加熱の可能な燃焼再生器と、凝縮器とを有する吸収冷温水機の運転制御方法であって、起動時に、（１）投入される排ガスの温度ＴＨが第１所定温度Ｔ１に上昇するか、又は（２）循環して流入した吸収液によって排ガス再生器の伝熱面の温度が所定温度に上昇するように、バーナ加熱を行った燃焼再生器の温度ＴＮが第２所定温度ＴＧにまで上昇する、という（１）と（２）の内の少なくとも一方が達成されてから排ガス再生器に排ガスを投入する。【選択図】図２
2011247508.tif 000002
【特許請求の範囲】
【請求項１】
蒸発器と、吸収器と、排ガス投入による加熱が可能な排ガス再生器と、前記吸収器から出た吸収液が前記排ガス再生器に流入した後に流入するバーナ加熱の可能な燃焼再生器と、凝縮器とを有する吸収冷温水機の運転制御方法であって、
起動時に、（１）投入される排ガスの温度が第１所定温度に上昇するか、又は（２）循環して流入した吸収液によって排ガス再生器の伝熱面の温度が所定温度に上昇するように、バーナ加熱を行った燃焼再生器の温度が第２所定温度にまで上昇する、という（１）と（２）の内の少なくとも一方が達成されてから排ガス再生器に排ガスを投入することを特徴とする排ガス式吸収冷温水機の運転制御方法。
【請求項２】
排ガスを投入していると共に前記バーナ加熱を行っている場合、蒸発器と熱負荷機器との間を循環するブラインの蒸発器出口温度がブライン第１所定温度にまで低下すると、バーナ加熱を停止して、排ガスで加熱運転する請求項１記載の排ガス式吸収冷温水機の運転制御方法。
【請求項３】
排ガスを投入していると共に前記バーナ加熱を行っていない場合、蒸発器と熱負荷機器との間を循環するブラインの蒸発器出口温度がブライン第２所定温度にまで上昇すると、バーナ加熱を開始する請求項１記載の排ガス式吸収冷温水機の運転制御方法。
【請求項４】
排ガスを投入していると共に前記バーナ加熱を行っている場合、蒸発器と熱負荷機器との間を循環するブラインの蒸発器出口温度がブライン第１所定温度にまで低下すると、バーナ加熱を停止して排ガス単独で加熱運転を行い、その後、ブラインの蒸発器出口温度が前記ブライン第１所定温度よりも高いブライン第２所定温度にまで上昇すると、バーナ加熱を再開する請求項１記載の排ガス式吸収冷温水機の運転制御方法。
【請求項５】
排ガスを投入した後、燃焼再生器温度に応じて、冷却塔を通って循環すると共に、吸収器の中を通って吸収液を冷却する冷却水の温度を上昇制御して前記排ガス再生器の温度を上げる請求項１〜４の何れか１記載の排ガス式吸収冷温水機の運転制御方法。
【請求項６】
前記冷却水の温度を上昇させる手段は、冷却塔の冷却ファンの回転数を低下させるインバータ制御である請求項５記載の排ガス式吸収冷温水機の運転制御方法。
【請求項７】
排ガスを投入していると共に前記バーナ加熱を行っている場合、蒸発器と熱負荷機器との間を循環するブラインの蒸発器出口温度が暖房用ブライン第１所定温度にまで上昇すると、バーナ加熱を停止して、排ガスで加熱運転する請求項１記載の排ガス式吸収冷温水機の運転制御方法。
【請求項８】
排ガスを投入していると共に前記バーナ加熱を行っていない場合、蒸発器と熱負荷機器との間を循環するブラインの蒸発器出口温度が暖房用ブライン第２所定温度にまで下降すると、バーナ加熱を開始する請求項１記載の排ガス式吸収冷温水機の運転制御方法。
【請求項９】
排ガスを投入していると共に前記バーナ加熱を行っている場合、蒸発器と熱負荷機器との間を循環するブラインの蒸発器出口温度が暖房用ブライン第１所定温度にまで上昇すると、バーナ加熱を停止して排ガス単独で加熱運転を行い、その後、ブラインの蒸発器出口温度が前記暖房用ブライン第１所定温度よりも低い暖房用ブライン第２所定温度にまで下降すると、バーナ加熱を再開する請求項１記載の排ガス式吸収冷温水機の運転制御方法。
【請求項１０】
前記吸収冷温水機が二重効用機であって、前記燃焼再生器は高温再生器である請求項１〜９の何れか１記載の排ガス式吸収冷温水機の運転制御方法。
【発明の詳細な説明】
【技術分野】
【０００１】
本発明は、排ガスによって加熱再生できると共に、バーナによる加熱再生も可能な排ガス式吸収冷温水機の運転制御方法に関する。
【背景技術】
【０００２】
外部設備や内部の高温加熱器の加熱バーナ等から出る排ガスを利用し、吸収冷温水機の再生器にこの排ガスを投入して、濃度の薄い希吸収液を加熱して冷媒を分離しつつ希吸収液の濃度を向上させることがある。こうすれば外部設備等の排熱の有効利用につながり、吸収冷温水機の加熱エネルギーを低減することにもつながる。従って、できるだけこうした排ガスを主体に再生器を加熱して運転できれば効果的である。例えば、下記特許文献１，２，３に他の設備からの排ガスの熱エネルギーを有効利用することが開示されている。
【先行技術文献】
【特許文献】
【０００３】
【特許文献１】特開２００５−３０００６９号公報
【特許文献２】特開２００５−１２１３３２号公報
【特許文献３】特開２００１−１７４１００号公報
【発明の概要】
【発明が解決しようとする課題】
【０００４】
しかし、排ガスの成分として硫黄分が含まれている場合、その排ガスが冷やされて凝縮すると硫酸水溶液になる場合がある。一方、排ガスを投入して吸収液を加熱する排ガス再生器の母材は通常鉄鋼材である。従って、排ガスの凝縮によって硫酸水溶液が発生すれば排ガス再生器を侵食する。もし、母材を貫通する程侵食が進行すると、排ガス再生器の真空破壊を生じ、吸収冷温水機の性能、寿命に大きな影響を与える。
また、一般に起動時には再生器の温度が低く、吸収液が上手く循環しないため冷凍能力が出ない。即ち、起動時にはブラインの出口温度が定格温度よりも高い。このため、バーナ加熱運転から早い時期に排ガス単独運転に切り替えてしまうと、再生器における加熱不足から、その後、バーナ加熱による追い焚き運転が頻発してしまう。しかし、できるだけ排ガスのみで運転したいという上述の観点もある。
【０００５】
依って解決しようとする課題は、排ガス式吸収冷温機の起動時に発生し易い排ガス凝縮ドレンの発生を防止することである。また、起動の際の吸収液の循環を良くすることである。更には、バーナ加熱運転を可及的に低減させ、できるだけ排ガスだけで加熱運転することである。
【課題を解決するための手段】
【０００６】
上記課題に鑑みて第１の発明は、蒸発器と、吸収器と、排ガス投入による加熱が可能な排ガス再生器と、前記吸収器から出た吸収液が前記排ガス再生器に流入した後に流入するバーナ加熱の可能な燃焼再生器と、凝縮器とを有する吸収冷温水機の運転制御方法であって、
起動時に、（１）投入される排ガスの温度が第１所定温度に上昇するか、又は（２）循環して流入した吸収液によって排ガス再生器の伝熱面の温度が所定温度に上昇するように、バーナ加熱を行った燃焼再生器の温度が第２所定温度にまで上昇する、という（１）と（２）の内の少なくとも一方が達成されてから排ガス再生器に排ガスを投入することを特徴とする排ガス式吸収冷温水機の運転制御方法を提供する。
【０００７】
第２の発明では、第１の発明の排ガスを投入していると共に前記バーナ加熱を行っている場合、蒸発器と熱負荷機器との間を循環するブラインの蒸発器出口温度がブライン第１所定温度にまで低下すると、バーナ加熱を停止して、排ガスで加熱運転するよう構成する。
【０００８】
第３の発明では、第１の発明の排ガスを投入していると共に前記バーナ加熱を行っていない場合、蒸発器と熱負荷機器との間を循環するブラインの蒸発器出口温度がブライン第２所定温度にまで上昇すると、バーナ加熱を開始するよう構成する。
【０００９】
第４の発明では、第１の発明の排ガスを投入していると共に前記バーナ加熱を行っている場合、蒸発器と熱負荷機器との間を循環するブラインの蒸発器出口温度がブライン第１所定温度にまで低下すると、バーナ加熱を停止して排ガス単独で加熱運転を行い、その後、ブラインの蒸発器出口温度が前記ブライン第１所定温度よりも高いブライン第２所定温度にまで上昇すると、バーナ加熱を再開するよう構成する。
【００１０】
第５の発明では、第１〜第４の発明において、排ガスを投入した後、燃焼再生器温度に応じて、冷却塔を通って循環すると共に、吸収器の中を通って吸収液を冷却する冷却水の温度を上昇制御して前記排ガス再生器の温度を上げるよう構成する。
第６の発明では、第５の発明の前記冷却水の温度を上昇させる手段は、冷却塔の冷却ファンの回転数を低下させるインバータ制御であるよう構成する。
【００１１】
第７の発明では、第１の発明において、排ガスを投入していると共に前記バーナ加熱を行っている場合、蒸発器と熱負荷機器との間を循環するブラインの蒸発器出口温度が暖房用ブライン第１所定温度にまで上昇すると、バーナ加熱を停止して、排ガスで加熱運転するよう構成する。
【００１２】
第８の発明では、第１の発明において、排ガスを投入していると共に前記バーナ加熱を行っていない場合、蒸発器と熱負荷機器との間を循環するブラインの蒸発器出口温度が暖房用ブライン第２所定温度にまで下降すると、バーナ加熱を開始するよう構成する。
【００１３】
第９の発明では、第１の発明において、排ガスを投入していると共に前記バーナ加熱を行っている場合、蒸発器と熱負荷機器との間を循環するブラインの蒸発器出口温度が暖房用ブライン第１所定温度にまで上昇すると、バーナ加熱を停止して排ガス単独で加熱運転を行い、その後、ブラインの蒸発器出口温度が前記暖房用ブライン第１所定温度よりも低い暖房用ブライン第２所定温度にまで下降すると、バーナ加熱を再開するよう構成する。
【００１４】
第１０の発明では、第１〜第９の発明において、前記吸収冷温水機が二重効用機であって、前記燃焼再生器は高温再生器である。
【発明の効果】
【００１５】
第１の発明では、（１）排ガス温度と（２）燃焼再生器の温度の少なくとも一方がある温度に上昇するまで排ガスを投入しないで、その温度に上昇した後に投入するため、排ガスは凝縮し難く、排ガス凝縮ドレンの発生を防止できる。
第２の発明では、ブラインの蒸発器出口温度がブライン第１所定温度にまで低下するということは熱負荷機器による冷房作用が十分になったことを意味し、バーナ加熱を停止でき、排ガス単独加熱で運転できる。
【００１６】
第３の発明では、ブラインの蒸発器出口温度がブライン第２所定温度にまで上昇するということは、熱負荷機器による冷房作用が不十分になったことを意味し、排ガス単独では加熱が不十分であり、バーナ加熱をも併用する必要性がでてきたのであり、始動時にはバーナ加熱運転を行っていたが、その後バーナ加熱をオフにしている場合なので、追い炊き運転をする必要が生じたことを意味している。
【００１７】
第４の発明は、第１の発明運転の後、第２の発明の運転をし、その後第３の発明の運転をするという流れである。
第５の発明の燃焼再生器温度に応じてとは、実際には熱負荷機器の負荷が小さい場合等に生じるが、燃焼再生器温度が低い場合を想定しており、こうした場合に、冷却水の温度を上昇制御して吸収液の温度を上昇させることにより、循環する吸収液によって排ガス再生器の温度を上昇でき、その結果、排ガスの凝縮ドレンを防止できる。
【００１８】
第６の発明では、冷却塔の冷却ファンの回転数を下げれば冷却度合いが低下するため、回転数が高い（定格回転の）場合に比べて冷却水の温度を上昇できる。
【００１９】
第７〜第９の各発明は暖房用の運転制御方法であり、冷房用の第２〜第４の発明の夫々に対応する。
第１０の発明は、二重効用の場合に限定したものである。
【図面の簡単な説明】
【００２０】
【図１】本発明に係る排ガス式吸収冷温水機の構成図である。
【図２】図１の冷温水機で冷房用の運転をしている場合の作動流れの一例を示すフロー図である。
【図３】図２のフロー図に従った図１の冷温水機の作動タイミング図である。
【図４】冷却水温度の制御に使用するグラフ図である。
【図５】図１の冷温水機で暖房用の運転をしている場合の作動流れの一例を示すフロー図である。
【図６】図５のフロー図に従った図１の冷温水機の作動タイミング図である。
【発明を実施するための形態】
【００２１】
以下、本発明を添付図面を用いて更に詳細に説明する。本発明は吸収冷凍機を含む意味の吸収冷温水機であって、一重効用の吸収冷温水機でも二重効用以上の多重効用の吸収冷温水機でもよいが、典型的な二重効用の例の全体構造を図１を参照して説明する。筐体部は上胴１１と下胴１０とに分かれている。下胴１０の左右方向の一側には蒸発器１２が、他側には吸収器１４が形成配設されている。また、上胴１１は、低温再生器２２と凝縮器２４とが形成配設されている。一方、高温再生器としての燃焼再生器１８と排ガス再生器１６を具備している。以下、これら各機器の役目と冷媒や吸収液の流れを概説する。
【００２２】
蒸発器１２には、図示しない室内冷房機等の熱負荷機器から循環するブライン（ここでは水）が流れるブライン管Ｈ１が通るように配設されている。また、吸収器１４には冷却塔（図示せず）等を介して循環してくる冷却水が流入する冷却水管Ｈ２が配設されている。ここでは吸収器１４を出た冷却水管Ｈ２は凝縮器２４をも通り、凝縮器２４を出た冷却水管Ｈ２は前記冷却塔に接続されており、冷却水が循環可能になっている。
【００２３】
蒸発器１２で蒸発した冷媒（この例では水）の蒸気は、吸収器１４にて吸収液（この例では臭化リチウム溶液）に吸収され、蒸発器１２の高真空状態が維持される。冷媒を吸収した吸収液は濃度が薄くなって希吸収液となる。下胴１０の下部であって、吸収器１４の下部に溜まった希吸収液は、吸収液ポンプＰ１によって希吸収液管Ｈ３に流され、排ガス再生器１６に向かう。その途中、後述する濃吸収液の流れている濃吸収液管Ｈ８、Ｈ９の間の低温熱交換器Ｎ１を介して濃吸収液から熱を奪って温度上昇する。その後、希吸収液は、排ガス再生器１６及び／又は燃焼再生器１８によって濃度が中間濃度となった中間吸収液の流れる中間吸収液管Ｈ６、Ｈ７の間の高温熱交換器Ｎ２を介して中間吸収液からも熱を奪って更に温度上昇する。
【００２４】
こうして、吸収器１４から出た時よりも温度の上昇した希吸収液が排ガス再生器１６に流入する。そして、排ガスが後述する制御タイミングで投入された場合は、この排ガスによって加熱され、また、排ガスが投入されていないタイミングでは、ここで加熱されることなく、配管Ｈ４を流れて燃焼再生器１８に流入する。ここでも、後述する制御に応じてガス等のバーナ１９によって必要時に加熱される。排ガス再生器１６に排ガスが投入された場合、その排ガスの熱によって希吸収液が加熱され、希吸収液から蒸発した冷媒蒸気が配管Ｈ１０を通って気液分離器２０内に入る。また、排ガスの投入方法は吸引ファンや排ガスダンパー等の手段がある。
【００２５】
一方、燃焼再生器１８において吸収液がバーナ１９によって加熱された場合、圧力差によって、蒸発した冷媒蒸気と吸収液との２相の混合流が揚液管Ｈ５を通って既述の気液分離器２０内に流入する。なお、気液分離器２０と蒸発器１２とを連通させている配管Ｈ２０の途中の冷暖切換主弁Ｖ１は閉じられている。この気液分離器２０内で分離された冷媒蒸気は、冷媒管Ｈ１１を通って既述の低温再生器２２に入る。また、気液分離器２０において冷媒蒸気を分離して濃度が中間になった中間吸収液は、中間吸収液管Ｈ６、Ｈ７を流れて低温再生器２２内に流入する。その途中、既述の高温熱交換器Ｎ２を通って希吸収液に熱を与える。
【００２６】
低温再生器２２において、中間吸収液管Ｈ７を通って流入した中間吸収液は、冷媒蒸気の流れている既述の冷媒管Ｈ１１の伝熱部によって加熱される。この熱により、中間吸収液から蒸発した冷媒蒸気は凝縮器２４に入る。また、冷媒管Ｈ１１を流れていた冷媒蒸気も、蒸気のまま或いは冷媒液となって冷媒管先部Ｈ１１’を介して凝縮器２４に入る。冷媒蒸気は凝縮器２４で冷却水管Ｈ２を流れる冷却水によって冷却されて冷媒液に戻る。この冷媒液は第１冷媒管Ｈ１２を通って蒸発器１２へ流下する。蒸発器１２の下部に溜まった冷媒液は冷媒ポンプＰ２によって第２冷媒管Ｈ１３を通って蒸発器１２の上部に設けた散布器Ｈ１１Ａから散布される。この散布された冷媒液がブライン管Ｈ１の伝熱部を流れるブラインから蒸発熱を奪って冷媒蒸気になると共に、ブラインの温度を下げる。既述の如く、この冷媒蒸気は吸収器１４において吸収液に吸収される。
【００２７】
以上は、熱負荷機器が冷房をしている場合の説明であるが、暖房の場合は、冷却水の循環を止めると共に、既述の冷暖切換主弁Ｖ１を開放させる。こうして冷媒管Ｈ１１と比べて抵抗の小さな配管Ｈ２０の方に、気液分離器２０内の高温の冷媒蒸気が流れ、蒸発器１２に入ってブラインを温める。こうして暖房が行われる。また、他の弁Ｖ２は冷房時には閉じているが、暖房時にはこれを開放させ、蒸発器１２の下部に溜まる冷媒混入吸収液を吸収器１４の下部に送り込む。吸収器下部に溜まった冷媒混入吸収液は吸収液ポンプＰ１によって排ガス再生器１６の方に送られて循環する。
【００２８】
以下では、本願吸収冷温水機を使って既述の熱負荷機器で冷房する場合の起動時の排ガス再生器１６への排ガス投入の制御と、燃焼再生器１８のバーナ１９の作動制御と、起動後のブライン出口温度を元とした本願排ガス式吸収冷温水機の運転制御方法の一例を図２と図３を参照しつつ説明する。図３の横軸ｔは時刻であり、縦軸は、下欄のオン、オフを示すものと、中欄と上欄の２種類の異なる目盛の温度（℃）を夫々示す。この例の中欄の燃焼再生器温度ＴＮは、常に、排ガス温度ＴＨよりも高温（図の上側）である。上欄はブラインの蒸発器出口温度ＴＷを示す。
【００２９】
図２のステップ５０ではバーナ１９の燃焼を開始する。これは図３の時刻ｔ１である。ステップ５２において、燃焼再生器１８の所定位置に設けた温度センサＳ１の示す燃焼再生器温度ＴＮが、当該吸収冷温水機において予め定めた第２所定温度ＴＧ以上であって、かつ、排ガス温度ＴＨが当該吸収冷温水機において予め定めた第１所定温度Ｔ１以上であるか否かを、図示しない制御コンピュータによって判断する。
【００３０】
排ガス投入に際しての一つの条件である燃焼再生器温度ＴＮに対する第２所定温度ＴＧは、この温度ＴＧ以上になれば、吸収液の循環によって排ガス再生器１６における排ガスと熱交換する伝熱面の温度が上昇し、排ガスが投入された際の凝縮ドレンの発生を防止する目的にある程度の効果があるように、各吸収冷温水機毎に予め実験的に定めるものである。
【００３１】
ステップ５２において、もし、上記２つの温度条件が揃って満たされているのでなければ「Ｎｏ（ノー）」であり、所定時間間隔毎にこの判断を行う。そしてこの２つの温度条件が満たされれば「Ｙｅｓ（イエス）」であり、ステップ５４に進んで排ガスが投入される。
【００３２】
図３においては、時刻ｔ２になって燃焼再生器温度ＴＮが第２所定温度ＴＧに達しているが、未だ、排ガス温度ＴＨが第１所定温度Ｔ１に達していないため、排ガスは投入されず、バーナ燃焼加熱のみを続けている。時刻ｔ３になって排ガス温度も第１所定温度に達したので、ここで初めて排ガスが投入される（オン）。更には、この時刻ｔ３において、ブラインの蒸発器出口温度ＴＷがブライン第１所定温度Ｔ０までは下がっていないので、未だ当該吸収冷温水機による冷凍能力を低下させるべきではないため、バーナ燃焼加熱が続行されている。
【００３３】
このことは図２においては、ステップ５６においてブラインの蒸発器出口温度ＴＷがブライン第１所定温度Ｔ０、即ち、定格温度Ｔ０（例えば７℃）以下であるか否かが判断されることである。「Ｎｏ（ノー）」であれば、この判断も所定時間間隔毎に行われる。その結果、定格温度以下になれば「Ｙｅｓ（イエス）」であり、ステップ５８に進んでバーナ燃焼加熱を停止させる。即ち、排ガス単独加熱となる。これは図３においては、時刻ｔ４において定格温度Ｔ０にまで低くなったので、バーナ燃焼加熱をオフにしていることに相当する。
【００３４】
こうして排ガス単独加熱によって運転されている間に、再びブラインの蒸発器出口温度ＴＷが上昇し始める。そして、時刻ｔ５においてブライン第２所定温度（Ｔ０＋α）にまで上昇すると、冷凍能力が低下したと判断してバーナによる燃焼を再開する。即ち、追い焚きを行う。このことは図２においては、ステップ５８のバーナ燃焼停止後に、ステップ６０において所定時間間隔毎に、ブラインの蒸発器出口温度ＴＷがブライン第２所定温度（Ｔ０＋α）以上になったか否かが判断され、そうなれば「Ｙｅｓ（イエス）」であり、ステップ６２においてバーナ燃焼加熱が再開されることに相当する。
【００３５】
その後、ステップ６４において、当該吸収冷温水機の停止指令の有無を判断し、停止指令がなければ「Ｎｏ（ノー）」であり、ステップ５６に戻り、これ以降のステップを繰り返す。即ち、排ガス投入後においては、ブラインの蒸発器出口温度ＴＷがブライン第１所定温度Ｔ０とブライン第２所定温度（Ｔ０＋α）との間の温度になるように運転制御される。このことは図３においては、時刻ｔ６において、再びブラインの蒸発器出口温度ＴＷが定格温度Ｔ０に低下したため、再びバーナ燃焼加熱をオフにしていることに相当する。
【００３６】
また、バーナ燃焼加熱をオフにした時刻ｔ６から少し遅れてブライン蒸発器出口温度ＴＷが上昇し始めて時刻ｔ７まで上昇し、ここで再び温度低下している。これは時刻ｔ６におけるバーナ燃焼停止の影響でブライン蒸発器出口温度ＴＷが上昇するが、排ガス温度ＴＨがずっと上昇し続けており、これらの影響で再び下がっている。
【００３７】
図２において、ステップ６４において吸収冷温水機の停止指令があれば「Ｙｅｓ（イエス）」であり、ステップ６６に進み、当該吸収冷温水機の停止に必要な冷却水の停止等の各部をオフにする。
以上の運転制御は一例であって、例えば、ステップ５２において、燃焼再生器温度ＴＮが第２所定温度ＴＧに達していることのみか、或いは排ガス温度ＴＨが第１所定温度Ｔ１に達していることのみでステップ５４に進むように制御することもできる。
【００３８】
以上のように運転制御すると、バーナによる追い焚き運転は少ない回数で済み、実質的に排ガス単独による運転が可能となる。また、起動初期にはバーナ燃焼加熱を継続しているため、初期の吸収液の循環が促進される。
なお、排ガス投入を行った後、即ち、起動後においては、熱負荷機器の冷房負荷が小さい場合等、燃焼再生器温度ＴＮが低い場合にも排ガスの凝縮ドレンが発生し易い。
【００３９】
これを防止するために、既述の温度センサＳ１で測定した燃焼再生器温度ＴＮに基づいて冷却水管Ｈ２を流れる冷却水の温度を上昇制御すれば燃焼再生器温度ＴＮが上昇して、結果的に排ガスの凝縮ドレン発生を防止できる。冷却塔に設けている冷却ファンは、従来は一定の回転周波数（６０Ｈｚ又は５０Ｈｚ）で回転させるか停止させていた。冷却水の温度を上昇制御するには、この冷却ファンが回転すべき場合にインバータ制御によって適宜な回転周波数に低下させるとよい。
【００４０】
更には、冷却水を全て冷却ファンの風に晒すのではなく、流路途中に２方弁や３方弁を使用し、冷却液の一部をバイパス路を通して冷却ファンを迂回させることで、冷やさない冷却水を設けるように、流路を分岐させる方法もある。
冷却ファンの回転周波数を低下させる方法の場合につき、図４を参照して例示説明する。図４の横軸は燃焼再生器１８の温度センサＳ１による測定温度であり、縦軸は冷却ファンを駆動すべき回転周波数を示している。
【００４１】
即ち、燃焼再生器温度ＴＮが１５０℃以上であれば、熱負荷機器の冷房負荷も十分大きく、冷却ファンを定格で回転させればよい。しかし、１５０℃未満では低いと判断し、図４のグラフに従った回転周波数にさせる。定格回転とは、西日本においては６０Ｈｚ（東日本では５０Ｈｚ）で回転させることである。例えば、燃焼再生器温度ＴＮが１３０℃を示す場合は、本発明では、例示の図４からは３５Ｈｚで回転させるべきことを示している。従来では６０Ｈｚでの回転周波数であるため、本発明では従来よりも冷却ファンによる冷却力が小さくなって冷却水の温度が相対的に高くなる。このため、吸収液の温度が相対的に高くなり、ひいては排ガス再生器の伝熱面の温度も上昇し、排ガスの凝縮が低減できる。こうした起動後の冷却水の温度調節制御を、図２のような運転制御に対して付加させて組み込んでもよい。
【００４２】
以下では、既述の熱負荷機器Ｆで暖房する場合の本願排ガス式吸収冷温水機の運転制御方法の一例を図５と図６を参照して、冷房時の説明と同様な事項は省き、異なる事項だけを簡単に説明する。図５のステップ５６’では、図２のステップ５６に替えて、ブラインの蒸発器出口温度ＴＷが暖房用ブライン第１所定温度Ｔ０（例えば５５℃）以上であるか否かが判断される。また、ステップ６０’では、図２のステップ６０に替えて、所定時間間隔毎に、ブラインの蒸発器出口温度ＴＷが暖房用ブライン第２所定温度（Ｔ０−α）以下になったか否かが判断される。
【００４３】
前記のステップ５６’と６０’とのことは、図６の上欄のグラフに現れている。即ち、ブライン蒸発器出口温度ＴＷが時刻ｔ４において暖房用ブライン第１所定温度Ｔ０にまで上昇すればバーナ加熱が停止されている。また、暖房用ブライン第２所定温度（Ｔ０−α）にまで下がれば、再びバーナ加熱が再開されている。
【産業上の利用可能性】
【００４４】
本発明は、排ガス駆動の可能な吸収冷温水機の運転制御に利用できる。
【符号の説明】
【００４５】
１２                    蒸発器
１４                    吸収器
１６                    排ガス再生器
１８                    燃焼再生器
２０                    気液分離器
２２                    低温再生器
２４                    凝縮器
Ｎ１                    低温熱交換器
Ｎ２                    高温熱交換器
Ｓ１                    温度センサ
ＴＨ                    排ガス温度
ＴＮ                    燃焼再生器温度
Ｔ０                    （冷房用又は暖房用）ブライン第１所定温度
Ｔ０＋α                （冷房用）ブライン第２所定温度
Ｔ０−α                暖房用ブライン第２所定温度
ＴＷ                    ブライン蒸発器出口温度
【図１】
2011247508.tif 000003
【図２】
2011247508.tif 000004
【図３】
2011247508.tif 000005
【図４】
2011247508.tif 000006
【図５】
2011247508.tif 000007
【図６】
2011247508.tif 000008